(57)【特許請求の範囲】
【請求項１】
被保持体を着脱自在に保持する保持部材に対して進退移動可能に設けられたイジェクト操作部材と、該イジェクト操作部材の進行方向への移動により、該保持部材に保持された該被保持体を該保持部材から離脱する方向に押し出す押し出し手段とを備えたイジェクト装置において、
上記押し出し手段を、上記保持部材に保持された被保持体の装着方向端縁に沿って延在し、該装着方向端縁の長手方向両端部を離脱方向に押圧するための押圧部およびそれ自身の中央部に設けられた突起部を有する押圧部材と、該保持部材上の回動軸部を中心として回動可能に取り付けられ、その回動軸部を間に挟んで対向する二つの端部のうち一方の端部が上記イジェクト操作部材に係合し、他方の端部に設けられた係合孔が該押圧部材の突起部に係合する回動部材とを用いて構成し、
上記回動部材の係合孔の内周縁は、該回動部材の上下面に垂直な中心軸の回りに１８０°回転対称の形状を呈しており、該中心軸の近傍で互いに対向する係合孔の内周縁はそれぞれ該回動部材の長手方向とほぼ平行な直線部と円弧部とを備え、上記イジェクト操作部材の押し込み操作の第１段階において上記回動部材が回動するときには、上記係合孔の該円弧部が上記押圧部材の該突起部に接触するようにし、且つ、該第１段階に続く該イジェクト操作部材の押し込み操作の第２段階において上記回動部材が回動するときには、上記係合孔の該直線部が上記押圧部材の該突起部に接触するように構成したことを特徴とするイジェクト装置。
【請求項２】
上記第１段階に上記被保持体の上記保持部材への係止状態が解除されるように、上記回動部材の該係合孔を上記押圧部材の該突起部に係合させたことを特徴とする請求項１のイジェクト装置。
【請求項３】
接続端子を有する被保持体を着脱自在に保持し、該被保持体の接続端子と、該被保持体とは異なる別部材の接続端子との間を電気的に接続する上記保持部材としてのコネクタであって、上記被保持体を離脱させるために請求項１又は２のイジェクト装置を備えたコネクタ。
【請求項４】
請求項１、２又は３のイジェクト装置を備えた電子機器。
【発明の詳細な説明】
【０００１】
【発明の属する技術分野】
本発明は、ＩＣカード、メモリーカード、通信カード、ＰＣカード等の被保持体をコネクタ等の保持部材から離脱させるイジェクト装置、並びに該イジェクト装置を備えたコネクタ及び電子機器に関するものである。
【０００２】
【従来の技術】
近年、パソコン、周辺端末機器、各種ＯＡ機器などの電子機器の小型化、軽量化に伴い、メモリ機能や通信インターフェース機能などの特定の機能を有する着脱可能な被保持体としての電子カードが、パソコン等の電子機器に用いられるようになってきた。
【０００３】
従来、上記電子カード等の被保持体をパソコン等の電子機器に設けられたコネクタ等の保持部材から離脱させるイジェクト装置としては、その保持部材に対して進退移動可能に設けられたイジェクト操作部材を押し込み、その押し込み力により、被保持体を保持部材から離脱させるものが知られている。このように被保持体を離脱させる場合、使用者による被保持体の抜き出し作業の作業性の観点から、被保持体の離脱方向への突出量は大きい方が好ましい。
【０００４】
そこで、特開平６−２４３２９９号公報では、上記被保持体の離脱方向への突出量を大きくするイジェクト機構が開示されている。このイジェクト機構は、イジェクト操作部材としての操作レバーの押し込みにより、該操作レバーの奥側端部に連結されたイジェクトレバーの一方の端部を押して支点を中心に揺動させ、該イジェクトレバーのもう一方の端部で被保持体としてのＩＣメモリカードの端縁を押圧し、保持部材としてのＩＣメモリーカード挿入保持装置から離脱させる。そして、操作レバーを押し込みに従って、上記イジェクトレバーの支点が操作レバーとの連結位置の方に移動するように構成し、この支点の移動により、操作レバーの短いストロークでイジェクトレバーの端部を大きく揺動させ、ＩＣメモリーカードを外へ大きく突出させている。
【０００５】
【発明が解決しようとする課題】
ところが、上記特開平６−２４３２９９号公報で開示されているイジェクト機構においては、ＩＣメモリーカードを離脱させ始めるときに、イジェクトレバーの端部でＩＣメモリーカードの装着方向端縁の長手方向の一方の端部のみを押圧しているため、ＩＣメモリーカードが傾いてＩＣメモリーカード挿入保持装置への係止状態をスムーズに解除できないおそれがあった。
【０００６】
本発明は以上の背景のもとでなされたものであり、その目的は、被保持体を保持部材から離脱させるときに、被保持体の装着方向端縁の長手方向両端部を押圧することにより、被保持体の保持部材への係止状態をスムーズに解除できるとともに、イジェクト操作部材の短いストロークで被保持体を離脱方向に大きく突出させることができるイジェクト装置、並びに該イジェクト装置を備えたコネクタ及び電子機器を提供することである。
【０００７】
【課題を解決するための手段】
上記目的を達成するために、請求項１の発明は、被保持体を着脱自在に保持する保持部材に対して進退移動可能に設けられたイジェクト操作部材と、該イジェクト操作部材の進行方向への移動により、該保持部材に保持された該被保持体を該保持部材から離脱する方向に押し出す押し出し手段とを備えたイジェクト装置において、上記押し出し手段を、上記保持部材に保持された被保持体の装着方向端縁に沿って延在し、該装着方向端縁の長手方向両端部を離脱方向に押圧するための押圧部およびそれ自身の中央部に設けられた突起部を有する押圧部材と、該保持部材上の回動軸部を中心として回動可能に取り付けられ、その回動軸部を間に挟んで対向する二つの端部のうち一方の端部が上記イジェクト操作部材に係合し、他方の端部に設けられた係合孔が該押圧部材の突起部に係合する回動部材とを用いて構成し、上記回動部材の係合孔の内周縁は、該回動部材の上下面に垂直な中心軸の回りに１８０°度回転対称の形状を呈しており、該中心軸の近傍で互いに対向する係合孔の内周縁はそれぞれ該回動部材の長手方向とほぼ平行な直線部と円弧部とを備え、上記イジェクト操作部材の押し込み操作の第１段階において上記回動部材が回動するときには、上記係合孔の該円弧部が上記押圧部材の該突起部に接触するようにし、且つ、該第１段階に続く該イジェクト操作部材の押し込み操作の第２段階において上記回動部材が回動するときには、上記係合孔の該直線部が上記押圧部材の該突起部に接触するように構成したことを特徴とするものである。
【０００８】
請求項２の発明は、請求項１のイジェクト装置において、上記第１段階に上記被保持体の上記保持部材への係止状態が解除されるように、上記回動部材の該係合孔を上記押圧部材の該突起部に係合させたことを特徴とするものである。
【０００９】
請求項３の発明は、接続端子を有する被保持体を着脱自在に保持し、該被保持体の接続端子と、該被保持体とは異なる別部材の接続端子との間を電気的に接続する上記保持部材としてのコネクタであって、上記被保持体を離脱させるために請求項１又は２のイジェクト装置を備えたコネクタである。
【００１０】
請求項４の発明は、請求項１、２又は３のイジェクト装置を備えた電子機器である。
【００１１】
上記請求項１、２、３又は４のイジェクト装置、又は該イジェクト装置を備えたコネクタ若しくは電子機器において、イジェクト操作部材の押し込み操作の第１段階では、イジェクト操作部材が進行方向に移動すると、該イジェクト操作部材に一方の端部が係合した回動部材が回動する。この回動部材の回動により、回動部材の他方の端部が押圧部材とともに被保持体の離脱方向に揺動する。このとき、押圧部材が回動部材との係合位置を中心とした該回動部材に対する相対的な回動が可能となるように押圧部材の中央部と回動部材の端部が係合しているため、押圧部材の押圧部が被保持体の装着方向端縁の長手方向両端部を常に接触しながら、該押圧部材が回動部材の端部から力を受けて被保持体離脱方向に移動する。この押圧部材の移動により、該押圧部材の押圧部が被保持体の装着方向端縁の長手方向両端部を押圧する。
【００１２】
そして、上記第１段階に続くイジェクト操作部材の押し込み操作の第２段階では、イジェクト操作部材が更に進行方向に移動して回動部材が更に回転し、回動部材の他方の端部が被保持体離脱方向に揺動する。このとき、上記押圧部材の相対的な回動を規制するように押圧部材の中央部と回動部材の端部が係合しているため、押圧部材が保持部材上の回動軸部を中心に回動部材と一体となって揺動する。この押圧部材の揺動により、押圧部材の押圧部のうち保持部材上の回動軸部から離れた押圧部で、上記被保持体の装着方向端縁の長手方向の一方の端部を押圧し、被保持体を大きく外に押し出す。
【００１３】
上記被保持体の保持部材への係止状態は、イジェクト操作部材の押し込み操作の第１段階及び第２段階のいずれかの段階で解除される。
【００１４】
特に、上記請求項２、３又は４のイジェクト装置、又は該イジェクト装置を備えたコネクタ若しくは電子機器においては、上記被保持体を保持部材から離脱させるために強い力が必要とされる第１段階に、上記押圧部材の押圧部が被保持体の装着方向端縁の長手方向両端部を押圧し、被保持体の保持部材への係止状態を解除する。
【００１５】
【発明の実施の形態】
以下、本発明を、被保持体としてのＰＣカードを装着する保持部材としてのコネクタのイジェクト装置に適用した実施形態について説明する。図１は、本実施形態に係るコネクタ１をＰＣカード１００とともに示した斜視図である。コネクタ１は、コネクタ本体２と、外部からの操作によりコネクタ本体２に装着されたＰＣカード１００を該コネクタ本体２から離脱させるためのイジェクト装置とを備えている。コネクタ本体２は、ＰＣカード１００を着脱の際にカード側端部１００ａ、ｂをそれぞれガイドするガイド溝２１ａ、２２ａを備えたカードガイド部２１、２２と、ＰＣカード１００の外部電極に係合して該外部電極と図示しない基板上の電気回路とを電気的に接続する多数のリードピン２３を備えたカード端受け部２４とにより構成されている。ＰＣカード１００の側端部１００ａ、ｂを上記両カードガイド部２１、２２のガイド溝２１ａ、２２ａに挿入してＰＣカード１００を矢印Ａ方向に押し込むと、側端部１００ａ、ｂがガイド溝２１ａ、２２ａ内を摺動しながら進行し、ＰＣカード１００の装着方向端縁１００ｃに設けられた図示しない外部電極と、上記カード端受け部２４のリードピン２３の電極端２３ａが係合し、ＰＣカード１００がコネクタ本体２に係止された状態で保持される。
【００１６】
上記イジェクト装置は、コネクタ本体２に対して進退移動可能なイジェクト操作部材３、コネクタ本体２に保持されたＰＣカード１００の装着方向端部をコネクタ本体２から離脱させる方向に押し出す押し出し手段としてのカード押し出し機構などにより構成されている。
【００１７】
図２は、上記カード押し出し機構の概略構成を示す斜視図であり、図３は、同カード押し出し機構の分解斜視図である。図２及び図３はともに、図１の矢印Ｂで示す斜め下方から見た図である。このカード押し出し機構は、コネクタ本体２に保持されたＰＣカード１００の装着方向端縁１００ｃに沿って延在し、該端縁１００ｃの長手方向両端部を離脱方向に押圧するための押圧部６１、６２を有する押圧部材６と、コネクタ本体２に回動可能に取り付けられた回動部材としての回動レバー７とを用いて構成されている。
【００１８】
上記押圧部材６の中央部には、図２及び３の下側（図１の上側）にＬ字状に突出した突起部６３を有し、この突起部６３が、コネクタ本体２のカード端受け部２４に形成されたスライド用開口２４ａの内側をカード着脱方向にスライドできるようになっている。
【００１９】
また、上記回動レバー７の中央部に設けられた円筒軸７３が、コネクタ本体２のカード端受け部２４に形成された回動軸部としての回動孔２４ｂに挿入され、回動レバー７が回動孔２４ｂを中心として回動可能になっている。この回動孔２４ｂを挟んで対向する回動レバー７の二つの端部のうち一方の端部に形成された係合孔７１が、上記押圧部材６の突起部６３に係合し、他方の端部に形成された折り曲げ部７２は、コネクタ本体２のカードガイド部２２に形成された貫通長孔２２ｂを通って外側に延在している。上記イジェクト操作部材３の操作側端部３１とは反対側の端部には、上記回動レバー７の折り曲げ部７２に係合するくびれ部３２が形成されている。
【００２０】
また、本実施形態では、イジェクト操作部材３の押し込み操作の第１段階において回動レバー７が回動するときに、押圧部材６が回動レバー７との係合位置を中心に回動自在となるように、且つ、上記第１段階に続くイジェクト操作部材３の押し込み操作の第２段階において回動レバー７が回動するときに、該係合位置を中心とした押圧部材６の回動を規制するように、回動レバー７を押圧部材６に係合させている。このような両者の係合状態は、回動レバー７の係合孔７１及び押圧部材６の突起部６３を次の図４及び図５に示すように構成することによって実現することができる。
【００２１】
図４（ａ）及び（ｂ）はそれぞれ上記押圧部材６及び回動レバー７の係合部の部分拡大斜視図である。また、図５（ａ）は押圧部材６及び回動レバー７を係合させた係合部の拡大斜視図であり、図５（ｂ）は図５（ａ）の切断面Ｃ−Ｃを矢印方向から見た押圧部材６及び回動レバー７の断面図である。
【００２２】
上記押圧部材６の突起部６３は平板形状であり、その突起部６３の対向する二つの平面は、押圧部６１、６２のＰＣカード１００に接触する押圧面とほぼ平行になっている。この突起部６３の先端部には、回動レバー７の係合孔７１との係合を外れにくくするためにＬ字状の折り曲げ部６３ａが設けられている。
【００２３】
また、上記回動レバー７の係合孔７１の内周縁は、回動レバー７の上下面に垂直な中心軸Ｄの回りに１８０°回転対称の形状をしている。この中心軸Ｄの近傍で互いに対向する係合孔７１の内周縁はそれぞれ、回動レバー７の長手方向とほぼ平行な直線部７１ａと円弧部７１ｂとを有している。後述するように、イジェクト操作部材３の押し込み操作の第１段階において回動レバー７が回動するときには、上記係合孔７１の円弧部７１ｂが押圧部材６の突起部６３に接触し、上記第１段階に続くイジェクト操作部材３の押し込み操作の第２段階において回動レバー７が回動するときには、上記係合孔７１の直線部７１ａが突起部６３に接触する。
【００２４】
図６（ａ）は、ＰＣカード１００がコネクタ２本体に係止されている離脱操作前における押圧部材６及び回動レバー７の位置関係を示す説明図であり、図６（ｂ）は、同押圧部材６の突起部６３と同回動レバー７の係合孔７１との係合状態を示す拡大図である。ＰＣカード１００が装着されている状態では、押圧部材６の２つの押圧部６１、６２の押圧面に接触又は近接している。このとき、押圧部材６の突起部６３は回動レバー７の係合孔７１内周縁の円弧部７１ｂに接しているため、押圧部材６は、突起部６３と係合孔７１との係合位置を中心に回動可能な状態になっている。
【００２５】
図７（ａ）は、ＰＣカード１００の離脱操作を開始した後イジェクト操作部材３の押し込み操作の第１段階が完了した時点における押圧部材６及び回動レバー７の位置関係を示す説明図であり、図７（ｂ）は、同押圧部材６の突起部６３と同回動レバー７の係合孔７１との係合状態を示す拡大図である。イジェクト操作部材３の操作側端部３１を矢印Ｄ方向（進行方向）に押し込むと、イジェクト操作部材３に連動して回動レバー７の折り曲げ部７２が形成されている端部も矢印Ｄ方向に移動し、回動レバー７全体が矢印Ｅ方向に回転する。
図７（ａ）に示すイジェクト操作部材３の押し込み操作の第１段階が完了する時点まで、すなわち回動レバー７の長手方向がＰＣカード１００の装着方向端縁１００ｃにほぼ平行となる時点までは、上記回動レバー７が矢印Ｅ方向に回転しても、押圧部材６の突起部６３が回動レバー７の係合孔７１内周縁の円弧部７１ｂに接するため、押圧部材６は、突起部６３と係合孔７１との係合位置を中心に回動可能な状態になっている。従って、回動レバー７の回転によって係合孔７１が形成されている部分がカード離脱方向（矢印Ｆ方向）に移動すると、押圧部材６が回転し、押圧部６１、６２の押圧面がＰＣカード１００の端縁１００ｃの長手方向両端部をほぼ同じ力で押圧する。これにより、ＰＣカード１００のコネクタ本体２への係止状態をスムーズに解除し、ＰＣカード１００を押し出し始める。
【００２６】
図８（ａ）は、図７（ａ）の状態から更にイジェクト操作部材３を押し込んで押し込み操作の第２段階が完了した時点すなわち離脱操作が完了した時点における押圧部材６及び回動レバー７の位置関係を示す説明図であり、図８（ｂ）は、同押圧部材６の突起部６３と同回動レバー７の係合孔７１との係合状態を示す拡大図である。上記第１段階に続くイジェクト操作部材３の押し込み操作の第２段階においては、図８（ｂ）に示すように押圧部材６の突起部６３が回動レバー７の係合孔７１内周縁の直線部７１ａに接するようになるので、上記突起部６３と係合孔７１との係合位置を中心とした押圧部材６の回動が規制される。このように押圧部材６の回動が規制されるため、イジェクト操作部材３の操作側端部３１を矢印Ｄ方向（進行方向）に更に押し込むと、回動レバー７の矢印Ｅ方向への回転とともに、押圧部材６の一方の押圧部６１が形成されている端部が回動孔２４ｂを中心に矢印Ｈ方向に大きく揺動する。この押圧部材６の揺動により、ＰＣカード１００端縁の長手方向の一方の端部が押圧され、上記第１段階でコネクタ本体２への係止状態が解除されたＰＣカード１００がコネクタ本体２の外へ大きく押し出される。
【００２７】
以上、本実施形態によれば、イジェクト操作部材３の押し込み操作の第１段階において、押圧部材６の２つの押圧部６１、６２でＰＣカード１００の装着方向端縁１００ｃの長手方向両端部を押圧するので、該装着方向端縁１００ｃの長手方向の一方の端部を押圧する場合に比して、ＰＣカード１００のコネクタ本体２への係止状態をスムーズに解除できる。
【００２８】
また、本実施形態によれば、上記第１段階に続くイジェクト操作部材３の押し込み操作の第２段階において、コネクタ本体２上の回動孔２４ｂを中心として回動レバー７とともに揺動する押圧部材６の２つの押圧部のうち該回動孔２４ｂから離れている押圧部６１で、上記第１段階でコネクタ本体２への係止状態が解除されたＰＣカード１００の装着方向端縁１００ｃを押圧するので、イジェクト操作部材３の短いストロークでＰＣカード１００を離脱方向に大きく突出させることができる。
【００２９】
図１０（ａ）は、本実施形態と比較する比較例に係るイジェクト装置の離脱操作が完了した時点における押圧部材１０６及び回動レバー１０７の位置関係を示す説明図であり、図１０（ｂ）は、同押圧部材１０６の突起部１６３と同回動レバー１０７の係合孔１７１との係合状態を示す拡大図である。この比較例は、回動レバー１０７の係合孔１７１の内周縁の形状が本実施形態と異なっており、本実施形態の係合孔７１の直線部７１ａに対応する部分がなく、押圧部材１０６の突起部１６３と接する部分全体が円弧部１７１ａとなっている。このため、イジェクト操作部材１０３の押し込み操作開始から終了までの間にわたって、押圧部材１０６の回動が規制されることなく、係合位置を中心として回動可能となる。従って、本実施形態のイジェクト操作部材３の押し込み操作の第２段階に相当する期間においても、第１段階に相当する期間と同様に、押圧部材６の２つの押圧部１６１、１６２がともにＰＣカード１００の端縁１００ｃに接触して押圧する。
【００３０】
本実施形態に係るイジェクト装置におけるＰＣカード１００の押し出し量（図８中の符号Ｌ）を、上記比較例のイジェクト装置における押し出し量（図１０中の符号Ｌ'）と比較したところ、イジェクト操作部材の同じ押し込み量に対して本実施形態における押し出し量が比較例の約１．５倍になることがわかった。更に具体的には、上記比較例の場合の押し出し量Ｌ'が約４ｍｍであるのに対し、本実施形態の場合の押し出し量Ｌは約６ｍｍであった。
【００３１】
なお、上記実施形態では、押圧部材６に平板状の突起部６３を設け、回動レバー７に所定形状の内周縁を有する係合孔７１を設けることにより、上記係合状態を実現しているが、各部材の係合部の形状はこれに限定されるものではなく、例えば図９（ａ）及び（ｂ）に示すように、押圧部材６に所定形状の内周縁を有する係合孔６４を設け、回動レバー７に平板状の突起部７３を設けることにより、上記係合状態を実現しても良い。
【００３２】
また、上記実施形態では、被保持体としてのＰＣカード１００を着脱可能に保持する保持部材としてのコネクタのイジェクト装置について説明したが、本発明は、ＰＣカード用のコネクタのイジェクト装置に限定されることなく、他の種類の電子カードを着脱可能に保持するコネクタについても同様に適用することができるものである。また、本発明は、上記電子カードを保持するコネクタのイジェクト装置だけではなく、被保持体を着脱自在に保持する保持部材を備えた電子機器のイジェクト装置にも同様に適用できるものである。
【００３３】
【発明の効果】
請求項１、２、３又は４の発明によれば、イジェクト操作部材の押し込み操作の第１段階において、押圧部材の押圧部で被保持体の装着方向端縁の長手方向両端部を押圧する。そして、その第１段階に続くイジェクト操作部材の押し込み操作の第２段階において、保持部材上の回動軸を中心として回動部材とともに揺動する押圧部材の押圧部のうち保持部材上の回動軸部から離れた押圧部で、被保持体の装着方向端縁の長手方向の一方の端部を押圧する。このように２段階に分けて被保持体の装着方向端縁を押圧するので、該装着方向端縁の長手方向の一方の端部だけを押圧する場合に比して、被保持体の保持部材への係止状態をスムーズに解除できるという効果がある。
【００３４】
また、上記第２段階において、上記押圧部材の押圧部のうち保持部材上の回動軸部から離れた押圧部で、上記被保持体の装着方向端縁の長手方向の一方の端部を押圧し、被保持体を大きく外に押し出すので、イジェクト操作部材の短いストロークで被保持体を離脱方向に大きく突出させることができるという効果がある。
【００３５】
特に、請求項２、３又は４の発明によれば、上記被保持体を保持部材から離脱させるために強い力が必要とされる第１段階に、上記押圧部材の押圧部が被保持体の装着方向端縁の長手方向両端部を押圧するので、被保持体の保持部材への係止状態を更にスムーズに解除できるという効果がある。
【図面の簡単な説明】
【図１】  本発明の一実施形態に係るイジェクト装置を備えたコネクタ及びＰＣカードの斜視図。
【図２】  同イジェクト装置のカード押し出し機構の概略構成を示す斜視図。
【図３】  同押し出し機構の分解斜視図。
【図４】  （ａ）は同押し出し機構の押圧部材の部分拡大斜視図。（ｂ）は同押し出し機構の回動レバーの部分拡大斜視図。
【図５】  （ａ）は係合状態にある同押圧部材及び回動レバーの拡大斜視図。（ｂ）は（ａ）の切断面Ｃ−Ｃを矢印方向から見た断面図。
【図６】  （ａ）はＰＣカードの離脱操作前における押圧部材及び回動レバーの位置関係を示す説明図。（ｂ）は同押圧部材の突起部と同回動レバーの係合孔との係合状態を示す拡大図。
【図７】  （ａ）はイジェクト操作部材の押し込み操作の第１段階終了時における押圧部材及び回動レバーの位置関係を示す説明図。（ｂ）は同押圧部材の突起部と同回動レバーの係合孔との係合状態を示す拡大図。
【図８】  （ａ）はイジェクト操作部材の押し込み操作の第２の段階終了時における押圧部材及び回動レバーの位置関係を示す説明図。（ｂ）は同押圧部材の突起部と同回動レバーの係合孔との係合状態を示す拡大図。
【図９】  （ａ）は変形例に係る回動部材の部分拡大斜視図。（ｂ）は同変形例に係る回動レバーの部分拡大斜視図。
【図１０】（ａ）は比較例に係るイジェクト装置のイジェクト操作部材の押し込み操作終了時における押圧部材及び回動レバーの位置関係を示す説明図。（ｂ）は同押圧部材の突起部と同回動レバーの係合孔との係合状態を示す拡大図。
【符号の説明】
１・・・ コネクタ
２・・・コネクタ本体
２１、２２・・・カードガイド部
２２ｂ・・・貫通長孔
２４・・・カード端受け部
２４ａ・・・スライド用開口
２４ｂ・・・回動孔
３・・・イジェクト操作部材
３１・・・操作側端部
３２・・・くびれ部
６・・・押圧部材
６１、６２・・・押圧部
６３・・・突起部
７・・・回動レバー
７１・・・係合孔
７１ａ・・・内周縁の直線部
７１ｂ・・・内周縁の円弧部
７２・・・折り曲げ部
１００・・・ＰＣカード
【図１】
0003760000.tif 000002
【図２】
0003760000.tif 000003
【図３】
0003760000.tif 000004
【図４】
0003760000.tif 000005
【図５】
0003760000.tif 000006
【図６】
0003760000.tif 000007
【図７】
0003760000.tif 000008
【図８】
0003760000.tif 000009
【図９】
0003760000.tif 000010
【図１０】
0003760000.tif 000011